(57)【要約】【課題】動作音の小さいフィルタ切替え装置、光学機器及び電子機器を提供する。【解決手段】フィルタ切替え装置１０は、光が透過する開口部１１２を有する地板１００と、地板１００に支持され、フィルタが貼り付けられ、該フィルタが、開口部１１２に重なる位置と、開口部１１２に重なる位置から離間した位置と、の間で、スライド移動可能なフィルタ移動部材２００と、駆動機構の動力によってフィルタ移動部材２００を移動させる伝達部材と、駆動機構を駆動制御する制御手段と、フィルタ移動部材２００の移動の途中で移動速度を減速させる減速手段と、を備える。【選択図】図１
2017067810.tif 000002
【特許請求の範囲】
【請求項１】
光が透過する開口部を有する地板と、
前記地板に支持され、フィルタが貼り付けられ、該フィルタが、前記開口部に重なる位置と、該位置から離間した位置と、の間で、スライド移動可能なフィルタ移動部材と、
駆動機構の動力によって前記フィルタ移動部材を移動させる伝達部材と、
前記駆動機構を駆動制御する制御手段と、
前記フィルタ移動部材の移動の途中で移動速度を減速させる減速手段と、を備える、
フィルタ切替え装置。
【請求項２】
前記減速手段は、前記フィルタ移動部材の移動方向とは逆方向の付勢力を前記フィルタ移動部材に与える付勢手段である、
請求項１に記載のフィルタ切替え装置。
【請求項３】
前記付勢手段は、前記地板内に、前記フィルタ移動部材の移動の途中で、前記フィルタ移動部材に接触するように配置されたバネ部材である、
請求項２に記載のフィルタ切替え装置。
【請求項４】
請求項１から３のいずれか１項に記載のフィルタ切替え装置を含む、光学機器。
【請求項５】
請求項１から３のいずれか１項に記載のフィルタ切替え装置を含む、電子機器。
【発明の詳細な説明】
【技術分野】
【０００１】
本発明は、フィルタ切替え装置、光学機器及び電子機器に関する。
【背景技術】
【０００２】
例えば、屋外などに設置される監視カメラは、２４時間特定の場所の撮影を続けるが、日中・夜間、照明の有無など、時間帯によって撮影条件が異なる場合が多い。そこで、例えば特許文献１では、フィルタ切替え装置が提案されている。特許文献１に記載のフィルタ切替え装置では、一隅部に長孔が配されたフィルタ移動部材に赤外線透過フィルタと赤外線遮断フィルタとが並べて貼付されている。そして、モータに取り付けられたアームと長孔とが連結する構成となっており、モータによって切替え部材が移動することで、フィルタを切り替えている。
【先行技術文献】
【特許文献】
【０００３】
【特許文献１】特開２００３−３４８３９９号公報
【発明の概要】
【発明が解決しようとする課題】
【０００４】
特許文献１に記載の装置は、アームの回転限界点として、ストッパーが設けられており、アームがストッパーに衝突することでアームの動きを制限している。この構成では、アームがストッパーに衝突する際、音が発生してしまい、録音機能を備えた監視カメラである場合、この衝突する際に発生する音も録音されてしまう。
【０００５】
本発明は上記実情に鑑みてなされたものであり、動作音の小さいフィルタ切替え装置、光学機器及び電子機器を提供することを目的とする。
【課題を解決するための手段】
【０００６】
上記目的を達成するため、本発明に係るフィルタ切替え装置は、
光が通過する開口部を有する地板と、
前記地板に支持され、フィルタが貼り付けられ、該フィルタが、前記開口部に重なる位置と、該位置から離間した位置と、の間で、スライド移動可能なフィルタ移動部材と、
駆動機構の動力によって前記フィルタ移動部材を移動させる伝達部材と、
前記駆動機構を駆動制御する制御手段と、
前記フィルタ移動部材の移動の途中で移動速度を減速させる減速手段と、を備える。
【０００７】
上記の構成を備えるフィルタ切替え装置において、フィルタ移動部材の移動速度は減速手段によって減速するため、動作終了時に生じる伝達部材の動作音を、減速手段を備えなない従来のフィルタ切替え装置と比較して抑えることができる。
【０００８】
例えば、前記減速手段は、前記フィルタ移動部材の移動方向とは逆方向の付勢力を前記フィルタ移動部材に与える付勢手段であってもよい。
【０００９】
フィルタ移動部材の移動速度を減速する手段として、駆動機構の駆動速度を制御することも考えられるが、上記の構成によれば、駆動機構の駆動速度を変えずとも、付勢手段によってフィルタ移動部材の移動速度が減速する。このため、駆動機構の駆動制御を複雑にすることなく、フィルタ切替え装置の衝突音を抑えることができる。
【００１０】
前記付勢手段は、前記地板内に、前記フィルタ移動部材の移動の途中で、前記フィルタ移動部材に接触するように配置されたバネ部材であってもよい。
【００１１】
上記の構成とすることにより、付勢手段を安価に構成することができる。
【００１２】
上記目的を達成するため、本発明に係る光学機器は、上述のフィルタ切替え装置を含む。
【００１３】
この発明は、監視カメラなどの光学機器に用いて好適である。上述のフィルタ切替え装置を備えた光学機器は、フィルタ切替え装置の動作音が小さい。このため、例えば録音時に、フィルタ切替え装置の動作音が録音されてしまう虞を低減できる。
【００１４】
上記目的を達成するため、本発明に係る電子機器は、上述のフィルタ切替え装置を含む。
【００１５】
この発明は、タブレット端末などの電子機器に用いて好適である。上述のフィルタ切替え装置を備えた電子機器は、フィルタ切替え装置の動作音が小さい。このため、例えば録音時に、フィルタ切替え装置の動作音が録音されてしまう虞を低減できる。
【発明の効果】
【００１６】
上述したように、本発明によれば、動作音の小さいフィルタ切替え装置、光学機器及び電子機器を提供することができる。
【図面の簡単な説明】
【００１７】
【図１】一実施の形態に係るフィルタ切替え装置の分解斜視図である。
【図２】一実施の形態に係るフィルタ切替え装置を備える光学機器の要部構成を示す図である。
【図３】一実施の形態に係るフィルタ切替え装置が備える地板の斜視図である。
【図４】一実施の形態に係るフィルタ切替え装置が備えるフィルタ移動部材の平面図である。
【図５】一実施の形態に係るフィルタ切替え装置の平面図である。
【図６】一実施の形態に係るフィルタ切替え装置が備える支持板の斜視図である。
【図７】一実施の形態に係るフィルタ切替え装置が備えるロータの斜視図である。
【図８】一実施の形態に係るフィルタ切替え装置が備えるボビンの斜視図である。
【図９】一実施の形態に係るフィルタ切替え装置が備えるモータ駆動制御回路のブロック図である。
【図１０】一実施の形態に係るフィルタ切替え装置の平面図であり、昼間の場合のフィルタ移動部材の位置を示す図である。
【図１１】フィルタ移動部材が移動している様子を示す図である。
【図１２】フィルタ移動部材が移動して静音バネに接触している様子を示す図である。
【図１３】一実施の形態に係るフィルタ切替え装置の平面図であり、夜間の場合のフィルタ移動部材の位置を示す図である。
【図１４】本発明の変形例に係るフィルタ切替え装置のバネ部材付近を拡大した平面図である。
【発明を実施するための形態】
【００１８】
（実施の形態）
以下、本発明の一実施の形態に係るフィルタ切替え装置を、図を参照しながら説明する。なお、全ての図を通じて、同一の要素には同一の符合を付す。
【００１９】
フィルタ切替え装置１０は図１に示すように、地板１００と、赤外線遮断フィルタ２１１と赤外線透過フィルタ２１２との２枚のフィルタが貼り付けられたフィルタ移動部材２００と、フィルタ移動部材２００の移動速度を減速させる静音バネ３００Ａ、３００Ｂ、３００Ｃと、地板１００と連結する支持板４００と、地板１００に被せる蓋板５００と、フィルタ移動部材２００を駆動するモータ６００と、を備える。
【００２０】
なお、以下の説明では、理解を容易にするため、フィルタ切替え装置１０の光軸方向をＺ軸とし、Ｚ軸方向に直交する方向で、かつ、フィルタ切替え装置１０の長手方向をＸ方向とし、Ｘ軸とＺ軸とに直交する方向をＹ軸とし、適宜参照する。
【００２１】
また、フィルタ切替え装置１０は、監視カメラなどの光学機器に適用されるものである。図２は、フィルタ切替え装置１０を備えた光学機器の要部構成を示す図で、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などである撮像素子１１００はレンズ１０００を透過した被写体像を電気信号に変換する。変換された電気信号はＡ／Ｄ（Ａｎａｌｏｇ／Ｄｉｇｉｔａｌ）変換回路１２００によってデジタル信号に変換され、画像処理回路１３００に入力される。画像処理回路１３００は、入力信号にもとづいて画像データを作成し、ＤＲＡＭ（Ｄｙｎａｍｉｃ  Ｒａｎｄｏｍ  Ａｃｃｅｓｓ  Ｍｅｍｏｒｙ）などのメモリに記憶する。なお、フィルタ切替え装置１０の配置場所は、レンズ１１０の前面側でも後面側でもよい。
【００２２】
図３に示すように、地板１００は、フィルタ移動部材２００を収納するフィルタ移動部材収納部１１０と、支持板４００と地板１００とを連結させる第１の嵌合部１２０と、を備える。
【００２３】
フィルタ移動部材収納部１１０は、＋Ｚ方向側が開放された、概ね扁平な箱状の形状を有する。フィルタ移動部材収納部１１０の底部１１１には、レンズ１０００を透過した光を通過させるための概ね矩形状の第１の開口部１１２と、扇形状の扇孔１１３と、を有する。扇孔１１３は、側壁１１６の長辺側の一端部付近から、対向する側壁１１６に向かって設けられており、モータ６００の駆動時に、後述するアーム６２０が底部１１１と干渉しないように、その寸法が設計されている。２つの短辺のうち、扇孔１１３が配されていない側の側壁１１６近傍には、静音バネ３００Ａ、３００Ｂを配置するための２つの支持ピン１１４が垂設されている。また、２つの長辺のうち、扇孔１１３が配されていない側の側壁１１６近傍には、扇孔１１３と対向するようにさらに支持ピン１１４が垂設されている。また、底部１１１の一部には突起１１５が垂設されている。
【００２４】
第１の嵌合部１２０は、扇孔１１３近傍の側壁１１６から延びるようにフィルタ移動部材収納部１１０と一体的に成型されており、後述する支持板４００の第２の嵌合部４２０と嵌合可能な形状を有する。
【００２５】
図１に示すフィルタ移動部材２００は、概ね矩形枠状のフィルタ枠２１０と、フィルタ枠２１０の短辺の一部から延びる概ね矩形状の連結部２２０と、を備える。
【００２６】
図４に示すように、フィルタ枠２１０には、赤外線を遮断する矩形状の赤外線遮断フィルタ２１１と、赤外線を透過する矩形状の赤外線透過フィルタ２１２とが、互いに重ならないように並べて貼り付けられている。また、フィルタ枠２１０の外周縁付近には、フィルタ移動部材２００の移動時に静音バネ３００Ａ、３００Ｂ、３００Ｃと接触する３つの接触ピン２１３が垂設されている。
【００２７】
赤外線遮断フィルタ２１１は、入射した光から赤外線を除去するフィルタである。赤外線透過フィルタ２１２は、素通しのガラス板である。
【００２８】
昼間の高照度時には、赤外線遮断フィルタ２１１をレンズ１０００の前に移動させて赤外線をカットすることで色再現性を保ち、夜間の低照度時には、赤外線遮断フィルタ２１１をレンズ１０００から離れた位置に移動させ、赤外線透過フィルタ２１２をレンズ１０００の前に移動させて近赤外光を受光することで低照度撮影を実現する。
【００２９】
連結部２２０には、フィルタ枠２１０に接続する辺と対向する辺の付近に長孔２２１が設けられている。また、フィルタ枠２１０及び連結部２２０の側部には、フィルタ移動部材収納部１１０の側壁１１６に当接する４つの凸部２３０が複数設けられている。凸部２３０は、フィルタ移動部材２００がフィルタ移動部材収納部１１０内に配置された状態で、フィルタ移動部材２００がＹ軸方向に移動しないように、その寸法が設計されている。このため、フィルタ移動部材２００はＹ軸方向にぶれることなく、Ｘ軸方向にスムーズに移動する。
【００３０】
静音バネ３００Ａ、３００Ｂ、３００Ｃは、図１に示すように、一本の金属線材を、直線形状の端部３１０を両端に残しつつ、らせん状に巻き上げた巻バネである。また、図５に示すように、Ｚ方向から見て、概ね、くの字状の形状に加工されている。さらに、静音バネ３００Ａ、３００Ｂ、３００Ｃ、は、一方の端部３１０がフィルタ移動部材収納部１１０の側壁１１６と当接するようにして、中空部３２０に支持ピン１１４を挿通することで、フィルタ移動部材収納部１１０の内部に配置される。なお、静音バネ３００Ａ、３００Ｂ、３００Ｃの素材として、ピアノ線（ＪＩＳ  Ｇ  ３５２２）やステンレス鋼線（ＪＩＳ  Ｇ  ４３０９）などが好適に採用される。
【００３１】
支持板４００は、図６に示すように、矩形状の挿通板４１０と、地板１００の第１の嵌合部１２０と嵌合する第２の嵌合部４２０と、概ね板状のアーム挿通部４３０と、を備える。支持板４００は、＋Ｙ方向に向かって第２の嵌合部４２０、挿通板４１０、アーム保護部４３０の順番に一体的に成型されている。さらに、支持板４００の裏面部（−Ｚ方向側の面）には、モータ６００の位置を固定するための第３の嵌合部（図示せず）を備える。
【００３２】
挿通板４１０の中央には後述するモータ６００のシャフト６１２が挿通する第１の丸孔４１１を有する。第２の嵌合部４２０は地板１００の第１の嵌合部１２０と嵌合可能な形状を有しており、第１の嵌合部１２０と嵌め合わせることで、地板１００と支持板４００とを連結する。アーム挿通部４３０は、フィルタ枠２１０との接続部付近から扇台形状に切り欠いた切り欠き部４３１を有する。切り欠き部４３１の根元には、さらに湾曲状に開口した第１の湾曲孔４３２を有する。切り欠き部４３１は、モータ６００の駆動時に、アーム６２０がアーム挿通部４３０と干渉しないように、その寸法が設計されている。
【００３３】
図１に示すように、蓋板５００は、概ね矩形板状の部材で、平面視で第１の開口部１１２、扇孔１１３の湾曲部及び突起１１５と重なる位置に、第２の開口部５１０と、第２の湾曲孔５２０と、第２の丸孔５３０と、をそれぞれ備える。
【００３４】
第２の開口部５１０は、第１の開口部１１２と同様に、レンズ１０００を透過した光を通過させるための孔で、第１の開口部１１２と同程度の寸法に設計されている。第２の湾曲孔５２０は、後述するアーム６２０の駆動ピン６２５が挿通する孔で、モータ６００の駆動時に、駆動ピン６２５が蓋板５００と干渉しないように、その寸法が設計されている。
【００３５】
蓋板５００は、第２の丸孔５３０に突起１１５を挿通させつつ、フィルタ移動部材収納部１１０の開放面を覆うように被せられる。また、例えば、蓋板５００の外周縁に接着剤などを塗布して、蓋板５００はフィルタ移動部材収納部１１０の開放面上に取り付けられる。これにより、フィルタ移動部材収納部１１０の内部に配置されているフィルタ移動部材２００及び静音バネ３００Ａ、３００Ｂ、３００Ｃは、Ｚ軸方向への移動が制限される。
【００３６】
なお、地板１００、フィルタ移動部材２００、支持板４００及び蓋板５００の各々は、例えば樹脂製である。それぞれの材料として好適に採用される樹脂としては、ポリカーボネート（ＰＣ）、ポリメタクリル酸メチル（ＰＭＭＡ）、ポリエチレン、ポリプロピレン、ポリ塩化ビニル、ポリスチレン、アクリロニトリル−ブタジエン−スチレン（ＡＢＳ）、ポリアミド樹脂（ＰＡ）を挙げることができる。
【００３７】
図１に示すように、モータ６００は、ロータ６１０と、ロータ６１０の回転軸上に取り付けられたアーム６２０と、ロータ６１０を収納するボビン６３０と、コイル６４０と、円筒状のヨーク６５０と、モータ６００の駆動信号の供給経路となるプリント配線板６６０と、を備える。また、モータ６００は、図９に示すモータ駆動制御回路７００から駆動信号の供給を受けて作動する。
【００３８】
図７に示すように、ロータ６１０は、概ね円筒形状を有し、径方向に着磁された２極の永久磁石６１１と、その中空部から＋Ｚ方向に一部を突き出すように配置されたシャフト６１２と、を備える。
【００３９】
アーム６２０は、モータ６００の動力によってフィルタ移動部材２００を移動させる伝達部材である。アーム６２０は、その根元部６２１に、シャフト６１２に嵌合した中心孔６２２を備え、シャフト６１２の回転に伴って、回転軸を中心に回動する。くの字状の形状を有する中心部６２３の一部が、アーム挿通部４３０の第１の湾曲孔４３２に挿通する。アーム６２０の先端部６２４には駆動ピン６２５が垂設され、フィルタ移動部材２００の長孔２２１と、蓋板５００の第２の湾曲孔５２０と、に連通している。
【００４０】
図８に示すように、ボビン６３０は、側面６３１の一部を切り欠いた円筒篭状の形状を有し、＋Ｚ方向側に支持板４００の第３の嵌合部と嵌合する３つの第４の嵌合部６３２を備える。ボビン６３０の側面６３１の一部には、アーム６２０を通すための空間６３３を有する。モータ６００の駆動時に、アーム６２０の一部がこの空間６３３内を移動し、空間６３３を形成する側壁６３４Ａ、または６３４Ｂに衝突することで、アーム６２０の回転域が制限される。空間６３３は、アーム６２０が側壁６３４Ａと当接しているときに、赤外線透過フィルタ２１２が地板１００の開口部１１２と重なる位置に位置づけられるように、また、アーム６２０が側壁６３４Ｂと当接しているときに、赤外線遮断フィルタ２１１が開口部１１２と重なる位置に位置づけられるように、その寸法が設計されている。
【００４１】
ボビン６３０の側面６３１における空間６３３の両脇には、側面６３１の高さ方向に渡って凹状に切り欠いた凹部６３５がそれぞれ設けられている。そして、２カ所の凹部６３５と、図６に示す挿通板４１０の上面側を通るようにコイル６４０が巻回され、ボビン６３０の周囲を覆うようにヨーク６５０が装着され、プリント配線板６６０がボビン６３０の底面に被せて固定される。
【００４２】
図９に示すモータ駆動制御回路７００は、撮影場所付近の照度を検出する照度センサ７１０から、現在の照度を示す信号の供給を受けることで、現在の照度を検知する。そして、照度が予め設定された閾値以上、または以下になった場合に、モータ６００を駆動するための制御を実行する。
【００４３】
次に、上記構成を有するフィルタ切替え装置１０の動作について、図１０から図１３を適宜参照しながら説明する。フィルタの切替えは、昼間から夜間に移行する場合と、夜間から昼間に移行する場合に分けて説明する。
【００４４】
はじめに、昼間から夜間に移行する場合のフィルタ切替え装置１０の動作について説明する。
【００４５】
フィルタ移動部材２００は、図１０に示すように、昼間には、地板１００の開口部１１２と重なる位置に赤外線遮断フィルタ２１１が位置し、開口部１１２と重なる位置から離間した位置に赤外線透過フィルタ２１２が位置している。モータ駆動制御回路７００は、昼間から夜間に移行して、照度が所定の閾値以下であることを検知すると、コイル６４０に、ロータ６１０を反時計回りに回転させる駆動信号を供給する。これにより、コイル６４０が励磁され、ロータ６１０に磁力が作用し、ロータ６１０が反時計回りに回転する。ロータ６１０が回転することで、ロータ６１０と同軸に固定されたシャフト６１２も反時計回りに回転する。
【００４６】
シャフト６１２が回転すると、アーム６２０も同様に反時計回りに回転する。このとき、アーム６２０の先端に設けられた駆動ピン６２５はフィルタ移動部材２００の長孔２２１に係合して移動し、フィルタ移動部材２００を＋Ｘ方向、すなわち、赤外線遮断フィルタ２１１が開口部１１２に重なる位置から、開口部１１２に重なる位置から離間した位置に向けて移動させる。
【００４７】
フィルタ移動部材２００を＋Ｘ方向に移動させ続けると（図１１参照）、やがて、フィルタ移動部材２００の接触ピン２１３が静音バネ３００Ａ、３００Ｂの一方の端部３１０にそれぞれ接触する（図１２参照）。フィルタ移動部材２００は、静音バネ３００Ａ、３００Ｂに接触した後も＋Ｘ方向に移動を続けるが、このとき、接触ピン２１３に当接している端部３１０は徐々に＋Ｘ方向に押し込められる。この端部３１０が＋Ｘ方向に押し込められると、静音バネ３００Ａ、３００Ｂに−Ｘ方向の付勢力が発生し、フィルタ移動部材２００を−Ｘ方向へ付勢する。この付勢力によって、フィルタ移動部材２００の移動速度が減速する。
【００４８】
フィルタ移動部材２００が図１３に示す位置まで移動すると、アーム６２０がボビン６３０の側壁６３４Ａに衝突し、アーム６２０はこれ以上の回動を阻止される。このとき、フィルタ移動部材２００の減速に伴ってアーム６２０も減速しているため、静音バネ３００Ａ、３００Ｂを配置していない場合と比較して、衝突音が抑えられる。そして、コイル６４０への駆動信号の供給が停止される。
【００４９】
上述の動作により、夜の間、フィルタ移動部材２００は、図１３に示す位置に固定され、赤外線透過フィルタ２１２が地板１００の開口部１１２と重なる位置に位置づけられる。
【００５０】
上述の動作から一定時間して、やがて夜間から昼間に移行すると、モータ駆動制御回路７００は、照度が所定の閾値以上であることを検知し、コイル６４０に、ロータ６１０を時計回りに回転させる駆動信号を供給する。これにより、ヨーク６５０がコイル６４０に励磁され、ロータ６１０に磁力が作用し、ロータ６１０が時計回りに回転する。ロータ６１０が回転することで、ロータと同軸に固定されたシャフト６１２も時計回りに回転する。
【００５１】
シャフト６１２が回転すると、アーム６２０も同様に時計回りに回転する。このとき、アーム６２０の先端に設けられた駆動ピン６２５はフィルタ移動部材２００の長孔２２１に係合して移動し、フィルタ移動部材２００を−Ｘ方向、すなわち、赤外線透過フィルタ２１２が開口部１１２に重なる位置から、開口部１１２に重なる位置から離間した位置に向けて移動させる。
【００５２】
フィルタ移動部材２００を−Ｘ方向に移動させ続けると（図１１参照）、やがて、フィルタ移動部材２００の接触ピン２１３が静音バネ３００Ｃの一方の端部３１０に接触する。フィルタ移動部材２００は、静音バネ３００Ｃに接触した後も−Ｘ方向に移動を続けるが、このとき、接触ピン２１３に当接している端部３１０は徐々に−Ｘ方向に押し込められる。この端部３１０が−Ｘ方向に押し込められると、静音バネ３００Ｃに＋Ｘ方向の付勢力が発生し、フィルタ移動部材２００を＋Ｘ方向へ付勢する。この付勢力によって、フィルタ移動部材２００の移動速度が減速する。
【００５３】
フィルタ移動部材２００が図１０に示す位置まで移動すると、アーム６２０がボビン６３０の側壁６３４Ｂに衝突し、アーム６２０はそれ以上の回動を阻止される。このとき、フィルタ移動部材２００の減速に伴ってアーム６２０も減速しているため、静音バネ３００Ｃを配置していない場合と比較して、衝突音が抑えられる。そして、コイル６４０への駆動信号の供給が停止される。
【００５４】
以上、本発明の一実施の形態について説明した。
【００５５】
本実施の形態に係るフィルタ切替え装置１０は、フィルタ移動部材２００が地板１００内を移動する途中で、フィルタ移動部材２００に接触する位置に静音バネ３００Ａ、３００Ｂ、３００Ｃを備える。静音バネ３００Ａ、３００Ｂ、３００Ｃに接触後もフィルタ移動部材２００の移動は続くが、その際、静音バネ３００Ａ、３００Ｂ、３００Ｃがフィルタ移動部材２００によって押し込まれることで、フィルタ移動部材２００の移動方向とは逆方向に付勢力が発生し、フィルタ移動部材２００を付勢する。これにより、フィルタ移動部材２００の移動速度が減速する。従って、アーム６２０はボビン６３０の側壁６３４Ａ、または６３４Ｂに十分遅い速度で衝突するため、フィルタ切替え装置１０の動作音を低減することができる。
【００５６】
以上、本発明の一実施の形態について説明したが、本発明は、上記の実施の形態に限定されるものではなく、種々の変形及び応用が可能である。
【００５７】
上記実施の形態では、フィルタ移動部材２００に貼り付けられた２枚のフィルタが赤外線遮断フィルタ２１１と赤外線透過フィルタ２１２である例によって説明したが、これに限らず、用途に応じて種々のフィルタを用いてもよい。あるいは、２枚のフィルタのうち、１枚を取り外した構成としてもよい。
【００５８】
上記実施の形態では、静音バネ３００Ａ、３００Ｂ、３００Ｃが巻バネである例によって説明したが、これに限らず、駆動の途中でフィルタ移動部材２００に干渉し、フィルタ移動部材２００の移動速度を減速させる部材であればよい。例えば、全てまたは一部に板バネを採用してもよい。
【００５９】
図１４に示すバネ部材８００は、両端部を残して半楕円状に加工した板バネで、図示せぬ支持部材によって側壁１１６に、フィルタ移動部材２００と対向するように取り付けられている。そして、フィルタ移動部材２００が＋Ｘ方向に移動して、バネ部材８００の湾曲部８０１と接触すると、バネ部材８００は＋Ｘ方向に押し込められるとともに、−Ｘ方向に付勢力が発生する。このように、フィルタ移動部材２００の移動速度を、バネ部材８００の付勢力によって減速させてもよい。
【００６０】
上記実施の形態では、照度が予め設定された閾値以上、または以下になったときに、フィルタ切替え装置１０の駆動を開始する例によって説明した。しかしながら、駆動制御の例はこれに限らず、例えば、所定の日時になったときにフィルタ切替え装置１０の駆動を開始するように制御してもよい。
【００６１】
上記実施の形態では、フィルタ移動部材２００を移動させる駆動機構がモータ６００である例によって説明したが、これに限らず、例えば、永久磁石をステータとするムービングコイルを駆動機構として構成してもよい。
【００６２】
上記実施の形態に係るフィルタ切替え装置は、図２に示すように、光学機器、電子機器などに取り付けられる装置である。光学機器の例としては、デジタルカメラなどの民生用カメラ、車載カメラ、監視カメラ、内視鏡などに搭載される医療用カメラ、動画撮影を行うカムコーダー（ムービーカメラ）、各種検査用カメラ、ロボット用カメラなどがある。電子機器の例としては、携帯電話、スマートフォン、タブレット端末、パーソナルコンピュータなどがある。
【００６３】
フィルタ切替え装置１０を備えた光学機器又は電子機器は、上記実施の形態で説明したように、フィルタ切替え装置１０の動作音が小さく抑えられている。このため、例えば録音時に、フィルタ切替え装置１０の動作音が録音されてしまう虞を低減できる。
【００６４】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６５】
本発明は、例えば、監視カメラなどの撮像装置に適用可能である。
【符号の説明】
【００６６】
１０  フィルタ切替え装置
１００  地板
１１０  フィルタ移動部材収納部
１１１  底部
１１２  第１の開口部
１１３  扇孔
１１４  支持ピン
１１５  突起
１１６  側壁
１２０  第１の嵌合部
２００  フィルタ移動部材
２１０  フィルタ枠
２１１  赤外線遮断フィルタ
２１２  赤外線透過フィルタ
２１３  接触ピン
２２０  連結部
２２１  長孔
２３０  凸部
３００Ａ、３００Ｂ、３００Ｃ  静音バネ
３１０  端部
３２０  中空部
４００  支持板
４１０  挿通板
４１１  第１の丸孔
４２０  第２の嵌合部
４３０  アーム保護部
４３１  切り欠き部
４３２  第１の湾曲孔
５００  蓋板
５１０  第２の開口部
５２０  第２の湾曲孔
５３０  第２の丸孔
６００  モータ
６１０  ロータ
６１１  永久磁石
６１２  シャフト
６２０  アーム
６２１  根元部
６２２  中心孔
６２２  駆動ピン
６２４  先端部
６３０  ボビン
６３１  側面
６３２  第４の嵌合部
６３３  空間
６３４Ａ、６３４Ｂ  側壁
６３５  凹部
６４０  コイル
７００  モータ駆動制御回路
７１０  照度センサ
８００  バネ部材
８０１  湾曲部
１０００  レンズ
１１００  固体撮像素子
１２００  Ａ／Ｄ変換回路
１３００  画像処理回路
【図１】
2017067810.tif 000003
【図２】
2017067810.tif 000004
【図３】
2017067810.tif 000005
【図４】
2017067810.tif 000006
【図５】
2017067810.tif 000007
【図６】
2017067810.tif 000008
【図７】
2017067810.tif 000009
【図８】
2017067810.tif 000010
【図９】
2017067810.tif 000011
【図１０】
2017067810.tif 000012
【図１１】
2017067810.tif 000013
【図１２】
2017067810.tif 000014
【図１３】
2017067810.tif 000015
【図１４】
2017067810.tif 000016